(57)【要約】      （修正有）【課題】室内での急激な温度差を感じず足元から温かくする床下エアコン暖房設備を提供する。【解決手段】外周を断熱材で覆われた基礎コンクリート及び土間コンクリートと住宅床材で囲まれた高気密・高断熱住宅の床下空間において、前記基礎コンクリートの内周は防塵塗装を施された基礎コンクリートと床下のコンクリートの独立基礎で構成され、前記住宅の床材は住宅室内への通気用のガラリを設けた床フローリングと、床下からの通気用の開口部を設けた根太レス合板とに挟まれた空洞層を有し，前記空洞層に蓄熱材と空洞部が床フローリング面に平行に交互になるよう配置された床構造体からなる床下空間に暖房用エアコンを設置した。【選択図】図１
0003198850.tif 000002
【実用新案登録請求の範囲】
【請求項１】
高気密・高断熱の住宅の床下に、あらかじめ人が入れる位の空間を設け、エアコンを取り付けるとともに、随所に配置したガラリより程よい温風が噴き出て適度な空気の対流を生むとともに、家屋全体を足元から暖めるという所を特徴とする床下エアコン暖房設備。
【請求項２】
床下エアコンで、床構造体の間に空洞を設け、その空洞に蓄熱材を敷き込み、床構造体部にスリット開口を設け、床下エアコンからの温風を床構造体の空洞に流し込ませ、上部ガラリより室内へ温風を出す。外部の温度変化に影響されることなく快適な温度を保ち過ごすことが出来る。又、電気使用量をピークカットができるため、経済的負担も少なくなる。
【請求項３】
基礎コンクリート内部の立ち上がりを独立型に変更することにより、床下のエアコンの通風を妨げられることなく住宅全体を暖房する。
【請求項４】
第一種換気システムを設けることで、外気と汚れた室内の空気を接触させることなく熱のみを回収。外気温度が０℃、室内温度が２０℃の場合、新鮮な外気を約１８℃まで温めてから室内に取り入れることが出来るため、床下エアコンやパッシブ蓄熱材等で温められた室内の温度を変えることなく、空気の汚れなどを換気することが出来るため、快適な室内環境で過ごすことが出来る。
【考案の詳細な説明】
【技術分野】
【０００１】本考案は、床下にエアコンを設置し足元から暖かくするという、暖房設備に関するものである。
【背景技術】
【０００２】蓄熱暖房機や床下暖房では、温度調整が難しいことや、設備代や電気代が高い、長時間利用や広範囲での使用はランニングコストが高くなるなどデメリットが沢山あった。
又、通常のエアコン設置方法では、エアコンの風が直接あたるため、不快感を抱く方も多かった。
【考案の概要】
【考案が解決しようとする課題】
【０００５】これまでの暖房設備では、経済的負担も大きく、また、物によっては広範囲のスペースを必要とするため、邪魔になりがちである。従って、省エネに対応した高性能のエアコンを床下に配置することにより、経済的負担も軽減でき、温度調整もリモコンによって容易にできる。さらにスペースを必要としないという前述の欠点を解決しようとするものである。
【課題を解決するための手段】
【０００６】本考案は、床下にエアコンを設置し床には随時にガラリを設け、足元から室内全体を暖める。又、天井等に設置されたパッシブ蓄熱材や土間・基礎コンクリートにエアコンの温風で熱を蓄熱させ、お部屋を快適な温度に保つ。省エネに対応した設備のため、経済的負担も軽減。又、暖房設備を床下に設置することによりスペースを必要としないため、問題点を解決している。
【考案の効果】
【０００７】上述の様に、本考案の床下エアコン暖房設備は部屋を温めるのは勿論、省エネ対応も考え設計されているため経済的負担も少なく、自身で温度調節が簡単に出来る。又、床下に設置されているため、スペースを必要としない。
【図面の簡単な説明】
【０００８】
【図１】本考案の床下エアコンの基礎に設置した場合の断面図である。
【図２】本考案の床下エアコンの空気の流れを表したものである。
【考案を実施するための形態】
【０００９】エアコンの補修メンテナンスを容易に出来るような点検口を設け、空気の対流が出来るよう計算しエアコンを設置する。天井や床にはパッシブ蓄熱材を配置し、夜エアコンを可動させパッシブ蓄熱材や土間・基礎コンクリートに蓄熱させることにより、昼間エアコンを可動させることが少なくなり、経済的負担も軽減される。
【実施例】
【００１０】エアコンの補修メンテナンスを容易に出来るよう点検口を設けた。壁掛けエアコンを床下地に取り付け、床下のほこりや粉塵が舞い上がらないよう、土間のコンクリートに防塵塗装を塗布した。【００１１】ガラリの位置については、エアーカーテンとなる位置に外部から侵入する冷気等を遮断するよう随所に設置した。【００１２】エアコン機器選定については、寒冷地向けで高効率且つ、省エネ基準法をクリアしたものを採用し、さらに有線でリモコンを取り付けられるものを設置した。
【符号の説明】
【００１３】矢印  空気の対流を表している。
【図１】
0003198850.tif 000003
【図２】
0003198850.tif 000004
【手続補正書】
【提出日】平成27年5月8日(2015.5.8)
【手続補正１】
【補正対象書類名】実用新案登録請求の範囲
【補正対象項目名】全文
【補正方法】変更
【補正の内容】
【実用新案登録請求の範囲】
【請求項１】
外周を断熱材で覆われた基礎コンクリート及び土間コンクリートと住宅床材で囲まれた高気密・高断熱住宅の床下空間において、
前記基礎コンクリートの内周は防塵塗装を施された基礎コンクリートと床下のコンクリートの独立基礎で構成され、
前記住宅の床材は住宅室内への通気用のガラリを設けた床フローリングと、床下からの通気用の開口部を設けた根太レス合板とに挟まれた空洞層を有し，前記空洞層に蓄熱材と空洞部が床フローリング面に平行に交互になるよう配置された床構造体からなる床下空間に暖房用エアコンを設置したことを特徴とする床下エアコン暖房設備。
【請求項２】
前記床下エアコン設備において、外周を断熱材で覆われた基礎コンクリート及び床材と土間コンクリートの間の空間には独立型の基礎コンクリートとして施工したことを特徴とする請求項１に記載の床下エアコン暖房設備。
【請求項３】
前記床下エアコン設備において室内空間に第１種換気設備システムを設置したことを特徴とする請求項１及び請求項２に記載の床下エアコン暖房設備。
【手続補正２】
【補正対象書類名】明細書
【補正対象項目名】全文
【補正方法】変更
【補正の内容】
【考案の詳細な説明】
【技術分野】
【０００１】  本考案は、高気密・高断熱住宅の床下にエアコンを設置し、快適、尚且つ足元から暖かくするという暖房設備に関するものである。
【背景技術】
【０００２】  蓄熱暖房機や床下暖房では、温度調整が難しいことや、設備代（イニシャルコスト）、長時間利用や広範囲での使用は電気代（ランニングコスト）が高くなるなどデメリットが沢山あった。又、通常のエアコン設置方法では、エアコンの送風が直接体にあたるため、不快感を抱く方も多かった。
【考案の概要】
【考案が解決しようとする課題】
【０００３】  これまでの暖房設備では、経済的負担も大きく、また、設置する設備によっては広範囲のスペースを必要とするため、邪魔になりがちである。従って、省エネに対応した高性能のエアコンを床下に配置することにより、経済的負担も軽減でき、温度調整もリモコンによって容易にできる。さらにスペースを必要としないという前述の欠点を解決しようとするものである。
【課題を解決するための手段】
【０００４】前記課題を解決するために本考案は、外周を断熱材で覆われた基礎コンクリート及び土間コンクリートと住宅床材で囲まれた高気密・高断熱住宅の床下空間において、前記基礎コンクリートの内周は防塵塗装を施された基礎コンクリートと床下のコンクリートの独立基礎で構成され、前記住宅の床材は住宅室内への通気用のガラリを設けた床フローリングと、床下からの通気用の開口部を設けた根太レス合板とに挟まれた空洞層を有し，前記空洞層に蓄熱材と空洞部が床フローリング面に平行に交互になるよう配置された床構造体からなる床下空間に暖房用エアコンを設置したことを特徴とする床下エアコン暖房設備である。【０００５】また、前記床下エアコン暖房設備において、外周を断熱材で覆われた基礎コンクリート及び床材と土間コンクリートの間の空間には独立型の基礎コンクリートとして施工する。【０００６】さらに、前記床下エアコン設備において室内空間に第１種換気設備システムを設置したことを特徴とするものである。
【考案の効果】
【０００７】床下にエアコンを設置し床に随所に配置したガラリより、床下エアコン暖房装置から程よい温風が噴き出て適度な空気の対流を生むとともに、家屋全体から足元を暖めることができる。【０００８】床構造体の空洞層の間に敷設された蓄熱材に根太レス合板に設けたスリット開口部から、床下エアコンからの温風を床構造体の空洞部に流し込ませ、上部ガラリより室内へ温風を出す構造としているため、外部温度変化に影響されることなく、快適な温度を保ち過ごすことができる。【０００９】高気密高断熱の住宅の床下にはあらかじめ人が入り、床下エアコンのメンテナンスが出来る空間を設計しているのでメンテナンスが容易に行える。【００１０】基礎コンクリート内部の立ち上がりを独立型にしているため、床下のエアコンの通風を妨げられることなく住宅全体を暖房することができる。【００１１】第一種換気システムを設けることで、外気と汚れた室内の空気を接触させることなく熱のみを回収することが可能なため、外気温度が０℃、室内温度が２０℃の場合、新鮮な外気を約１８℃まで温めてから室内に取り入れることができ、床下エアコンや蓄熱材等に温められた室内の温度を変えることなく、空気の汚れなどを換気することが出来るため、快適な室内環境で過ごすことが出来る。【００１２】天井や床には蓄熱・放熱性の高い蓄熱材を配置し、夜エアコンを可動させて蓄熱・放熱性の高い蓄熱材や土間・基礎コンクリートに蓄熱させることにより、昼間エアコンを稼動させることが少なくなり、経済的負担も軽減される。【００１３】土間のコンクリートは防塵塗装を塗布しているため、床下のほこりや粉塵が舞い上がらない構造で、かつ、床下エアコンの点検口（図示しない）を設けることで、床下エアコンの補修メンテナンスを容易に行える。【００１４】床下にエアコンを設置できるため設置スペースが邪魔にならない。【００１５】床に設けられたガラリの位置については、エアカーテンとなる位置に外部から侵入する冷気を遮断するように随所に設置しているため、外部の温度  変化に影響されることなく一定の温度を保ち快適に過ごせる。【００１６】エアコン機器選定については、寒冷地向けで高効率かつ、省エネ基準  法をクリアしたものを採用し、さらに有線でリモコンを取り付けられるものを設置しているため、経済的負担も軽減出来る。
【図面の簡単な説明】
【００１３】
【図１】本考案の床下エアコンの基礎に設置した場合の断面図である。
【図２】本考案の床下エアコンの空気の流れを表したものである。
【手続補正３】
【補正対象書類名】図面
【補正対象項目名】図２
【補正方法】変更
【補正の内容】
【図２】
0003198850.tif 000005